【手続補正書】
【提出日】平成30年12月10日(2018.12.10)
【手続補正１】
【補正対象書類名】特許請求の範囲
【補正対象項目名】全文
【補正方法】変更
【補正の内容】
【特許請求の範囲】
【請求項１】
ワイヤレス通信の方法において、
プロセッサにおいて、局から関係付け要求を受信することと、
前記関係付け要求に応答して、前記プロセッサにおいて、インターネットプロトコル（ＩＰ）アドレスに基づいて、アドレスのプールにアクセスし、前記局への割り振りのための第２のＩＰアドレスを識別することと、
前記プロセッサによって、前記局に関係付け応答を送信することを開始することとを含み、
前記関係付け要求は、高速初期リンクセットアップ（ＦＩＬＳ）ＩＰアドレス割り当てエレメントを含み、前記ＦＩＬＳ  ＩＰアドレス割り当てエレメントは、ＩＰアドレスを示し、前記局への前記ＩＰアドレスの割り振りのための要求を示すＩＰアドレスデータフィールドを含み、
前記関係付け応答は、前記第２のＩＰアドレスを識別する方法。
【請求項２】
前記関係付け要求は、ＤＨＣＰ発見メッセージを含み、
前記関係付け応答は、前記ＤＨＣＰ発見メッセージに応答するＤＨＣＰ肯定応答メッセージを含み、前記ＤＨＣＰ肯定応答メッセージは、前記第２のＩＰアドレスを示す請求項１記載の方法。
【請求項３】
前記関係付け要求は、電気電子技術者協会（ＩＥＥＥ）８０２．１１関係付け要求を含む請求項１記載の方法。
【請求項４】
前記局に前記関係付け応答を送信することを開始した後、前記プロセッサによって、アクセスポイントにグラテュイタスアドレス解決プロトコル（ＡＲＰ）メッセージを送信することを開始することをさらに含み、
前記グラテュイタスＡＲＰメッセージは、前記第２のＩＰアドレスを含む請求項１記載の方法。
【請求項５】
前記グラテュイタスＡＲＰメッセージを送信することを開始することに応答して、前記プロセッサにおいて、前記アクセスポイントから衝突信号を受信することをさらに含み、
前記衝突信号は、前記第２のＩＰアドレスが、前記アクセスポイントに関係付けられている第２の局によって使用されていることを示す請求項４記載の方法。
【請求項６】
前記プロセッサによって、前記衝突信号に基づいて、前記局に割り当てるために、前記アドレスのプール中に記憶されている１つ以上のＩＰアドレスのうちの第３のＩＰアドレスを選択することと、
前記プロセッサによって、前記第３のＩＰアドレスを、前記局に割り当てることと、
前記プロセッサによって、前記局に第２の関係付け応答を送信することを開始することとをさらに含み、
前記第２の関係付け応答は、前記第３のＩＰアドレスを識別する請求項５記載の方法。
【請求項７】
前記第２のＩＰアドレスを含むグラテュイタスアドレス解決プロトコル（ＡＲＰ）メッセージを受信することに基づいて、前記プロセッサによって、アクセスポイントに衝突インジケータを送信することを開始することをさらに含む請求項１記載の方法。
【請求項８】
前記関係付け要求を受信するより前に、前記プロセッサによって、前記局にキャッシュインジケータを送信することを開始することをさらに含み、前記関係付け要求は、前記キャッシュインジケータに応答する請求項１記載の方法。
【請求項９】
前記プロセッサによって、前記局にキャッシュインジケータを送信することを開始することをさらに含み、前記キャッシュインジケータは、ビーコン、プローブ応答、ＦＩＬＳ発見フレーム、または、ＦＩＬＳインジケーションエレメント中のＦＩＬＳ  ＩＰアドレスコンフィギュレーションサブフィールド中に含まれている請求項１記載の方法。
【請求項１０】
前記プロセッサによって、１つ以上のより高いレイヤパケット（ＨＬＰ）を受信することと、
前記プロセッサによって、前記１つ以上のＨＬＰを調べて、前記関係付け要求を検出することとをさらに含む請求項１記載の方法。
【請求項１１】
前記関係付け要求を受信する前に、
前記プロセッサによって、ダイナミックホストコンフィギュレーションプロトコル（ＤＨＣＰ）サーバに複数のＤＨＣＰ要求を送信することを開始することと、
前記プロセッサによって、複数のＩＰアドレスを、前記ＤＨＣＰサーバから受信することと、
前記プロセッサによって、前記複数のＩＰアドレスを、前記ＩＰアドレスのプール中に記憶されている１つ以上のＩＰアドレスに追加することとをさらに含み、
各ＤＨＣＰ要求は、対応するプライベート媒体アクセス制御（ＭＡＣ）アドレスを含み、
前記複数のＩＰアドレスのそれぞれは、前記複数のＤＨＣＰ要求のうちのＤＨＣＰ要求に対応する請求項１記載の方法。
【請求項１２】
前記関係付け応答を前記局に送信することを開始した後、前記第２のＩＰアドレスが満了しようとしているとき、前記プロセッサによって、前記ＤＨＣＰサーバにＩＰリース延長要求を送信することを開始することをさらに含み、
前記ＩＰリース延長要求は、前記第２のＩＰアドレスに対応する請求項１１記載の方法。
【請求項１３】
前記第２のＩＰアドレスは、前記関係付け要求よりも前に前記アドレスのプール中に記憶されている利用可能なＩＰアドレスと同じである請求項１記載の方法。
【請求項１４】
前記複数のＤＨＣＰ要求のうちの少なくとも１つ中に含まれる少なくとも１つのプライベートＭＡＣアドレスは、基本サービスセット識別（ＢＳＳＩＤ）を使用して、前記プロセッサによって発生される、または、ベンダーによって割り当てられる請求項１１記載の方法。
【請求項１５】
前記関係付け要求は、ＦＩＬＳ上位レイヤパケットコンテナを含み、前記ＦＩＬＳ上位レイヤパケットコンテナは、ＦＩＬＳ  ＩＰアドレス割り当てエレメントを含む請求項１記載の方法。
【請求項１６】
前記第２のＩＰアドレスは、前記ＩＰアドレスデータフィールドによって示される前記ＩＰアドレスを含む請求項１記載の方法。
【請求項１７】
前記ＩＰアドレスは、前記関係付け要求の受信よりも前に割り振られるように示され、前記第２のＩＰアドレスは、前記ＩＰアドレスデータフィールドによって示される前記ＩＰアドレスとは異なる請求項１記載の方法。
【請求項１８】
前記関係付け要求と前記関係付け応答は、２メッセージ関係付けおよびＩＰアドレス組み合わせセットアッププロセスに対応する請求項１記載の方法。
【請求項１９】
前記関係付け応答は、前記局との関係付けプロセスを完了するように構成されている請求項１記載の方法。
【請求項２０】
前記ＩＰアドレスが前記アドレスのプール中にあることを決定することと、
前記ＩＰアドレスが前記アドレスのプール中にあることに基づいて、前記ＩＰアドレスを前記第２のＩＰアドレスとして割り振ることとをさらに含む請求項１記載の方法。
【請求項２１】
前記ＩＰアドレスがアクセスポイントにおいて割り当てられていると示されていることを決定することと、
前記ＩＰアドレスが割り当てられていることに基づいて、異なるＩＰアドレスを前記第２のＩＰアドレスとして割り振ることとをさらに含む請求項１記載の方法。
【請求項２２】
前記プロセッサによって、前記ＩＰアドレスが、前記アドレスのプール中になく、割り当てられていないことを条件として、アクセスポイントにグラテュイタスアドレス解決プロトコル（ＡＲＰ）メッセージを送信することを開始することをさらに含み、前記グラテュイタスＡＲＰメッセージは、前記ＩＰアドレスを含む請求項１記載の方法。
【請求項２３】
複数のダイナミックホストコンフィギュレーションプロトコル（ＤＨＣＰ）要求をＤＨＣＰサーバに送信することを開始することと、
前記複数のＤＨＣＰ要求に応答して、前記ＤＨＣＰサーバから複数のＩＰアドレスを受信することと、
前記複数のＩＰアドレスを前記アドレスのプールに割り当てることとを含み、
前記複数のＤＨＣＰ要求のそれぞれは、対応するプライベート媒体アクセス制御（ＭＡＣ）アドレスを含む請求項１記載の方法。
【請求項２４】
ワイヤレス通信のための装置において、
プロセッサと、
前記プロセッサに結合されているメモリとを具備し、
前記メモリは、動作を実行するために、前記プロセッサによって実行可能な命令を記憶しており、
前記動作は、
前記プロセッサにおいて、高速初期リンクセットアップ（ＦＩＬＳ）インターネットプロトコル（ＩＰ）アドレス割り当てエレメントを含む関係付け要求を局から受信することと、
前記関係付け要求に応答して、前記メモリにおいて、アドレスのプールにアクセスし、前記局への割り振りのための第２のＩＰアドレスを識別することと、
前記局に関係付け応答を送信することを開始することとを含み、
前記ＦＩＬＳ  ＩＰアドレス割り当てエレメントは、ＩＰアドレスを示し、前記局への前記ＩＰアドレスの割り振りのための要求を示すＩＰアドレスデータフィールドを含み、
前記関係付け応答は、前記第２のＩＰアドレスを識別する装置。
【請求項２５】
前記動作は、前記関係付け要求を受信するより前に、前記局にキャッシュインジケータを送信することを開始することをさらに含む請求項２４記載の装置。
【請求項２６】
ワイヤレス通信のための装置において、
プロセッサと、
前記プロセッサに結合されているメモリとを具備し、
前記メモリは、動作を実行するために、前記プロセッサによって実行可能な命令を記憶しており、
前記動作は、
高速初期リンクセットアップ（ＦＩＬＳ）インターネットプロトコル（ＩＰ）アドレス割り当てエレメントを含む関係付け要求を発生させることと、
アクセスポイントに前記関係付け要求を送信することを開始することと、
前記関係付け要求に応答して、前記プロセッサにおいて、前記アクセスポイントから関係付け応答を受信することと、
前記アクセスポイントとの通信を開始することとを含み、
前記ＦＩＬＳ  ＩＰアドレス割り当てエレメントは、ＩＰアドレスを示し、前記ＩＰアドレスの割り振りのための要求を示すＩＰアドレスデータフィールドを含み、
前記関係付け応答は、第２のＩＰアドレスを識別し、
前記通信は、前記第２のＩＰアドレスを含む装置。
【請求項２７】
前記動作は、前記プロセッサによって、前記関係付け要求を発生させるよりも前に、前記アクセスポイントからのキャッシュインジケータを受信することをさらに含み、前記関係付け要求は、前記キャッシュインジケータに応答して発生される請求項２６記載の装置。
【請求項２８】
前記関係付け要求は、電気電子技術者協会（ＩＥＥＥ）８０２．１１関係付け要求を含む請求項２６記載の装置。
【請求項２９】
アクセスポイントにおいて、
局から、高速初期リンクセットアップ（ＦＩＬＳ）インターネットプロトコル（ＩＰ）アドレス割り当てエレメントを含む関係付け要求を受信するように構成されている受信機と、
前記受信機に結合され、前記関係付け要求に応答して、前記ＩＰアドレスに基づいて、アドレスのプールにアクセスし、前記局への割り振りのための第２のＩＰアドレスを識別するように構成されているプロセッサと、
前記プロセッサに結合され、前記局に関係付け応答を送信するように構成されている送信機とを具備し、
前記ＦＩＬＳ  ＩＰアドレス割り当てエレメントは、ＩＰアドレスを示し、前記局への前記ＩＰアドレスの割り振りのための要求を示すＩＰアドレスデータフィールドを含み、
前記関係付け応答は、前記第２のＩＰアドレスを識別するアクセスポイント。
【請求項３０】
前記第２のＩＰアドレスは、前記ＩＰアドレスとは異なる請求項２９記載のアクセスポイント。
【請求項３１】
局において、
高速初期リンクセットアップ（ＦＩＬＳ）インターネットプロトコル（ＩＰ）アドレス割り当てエレメントを含む関係付け要求を発生させるように構成されているプロセッサと、
前記プロセッサに結合され、アクセスポイントに前記関係付け要求を送信するように構成されている送信機と、
前記プロセッサに結合され、前記関係付け要求に応答して、前記アクセスポイントから関係付け応答を受信するように構成されている受信機とを具備し、
前記ＦＩＬＳ  ＩＰアドレス割り当てエレメントは、ＩＰアドレスを示し、前記ＩＰアドレスの割り振りのための要求を示すＩＰアドレスデータフィールドを含み、
前記関係付け応答は、第２のＩＰアドレスを識別し、
前記送信機は、前記アクセスポイントと通信するようにさらに構成され、前記通信は、前記第２のＩＰアドレスを含む局。
【請求項３２】
前記第２のＩＰアドレスは、前記ＩＰアドレスとは異なる請求項３１記載の局。
【請求項３３】
前記関係付け要求は、電気電子技術者協会（ＩＥＥＥ）８０２．１１関係付け要求を含み、前記関係付け応答は、ＩＥＥＥ８０２．１１関係付け応答を含み、前記関係付け要求と前記関係付け応答は、２メッセージ関係付けプロセスの間に受信される請求項３１記載の局。